(57)【要約】【課題】視聴覚室や一般家庭における映画再生・音楽再生・楽器演奏・会話などの様々な音源に対して適切な音響条件とすることができる音響反射ユニットを提供する。【解決手段】音響反射ユニット１に、音響反射特性の異なる２種類の反射部材２，３を両面に設けた音響反射板４を設ける。反射部材２は板状部材、反射部材３は可撓性面材であり、複数の板状部材に１枚の可撓性面材が接着することによって、複数の音響反射板４が連結された構造とする。【選択図】図１
2006276670.tif 000002
【特許請求の範囲】
【請求項１】
音響反射特性の異なる第１の反射部材及び第２の反射部材を両面に設けた音響反射板を備えることを特徴とする音響反射ユニット。
【請求項２】
前記第１の反射部材は可撓性面材から成ると共に前記第２の反射部材は板状部材から成り、１つの前記第１の反射部材に複数の前記第２の反射部材が接着されることによって、複数の前記音響反射板が連結されていることを特徴とする請求項１に記載の音響反射ユニット。
【請求項３】
前記第１の反射部材は繊維質面材又は多孔質面材から成り、前記第２の反射部材は木材から成ることを特徴とする請求項２に記載の音響反射ユニット。
【請求項４】
連結された前記音響反射板が互いの角部が干渉することなく２７０°まで展開できるように前記角部が面取り加工されていることを特徴とする請求項２又は請求項３に記載の音響反射ユニット。
【請求項５】
前記可撓性面材の端部に補強部材が前記可撓性面材から前記板状部材まで貫通する固定手段によって固定されていることを特徴とする請求項２〜請求項４のいずれか一項に記載の音響反射ユニット。
【請求項６】
前記音響反射板に取り付けられ、先端を天井に圧接させることにより前記音響反射板を支持する天井圧接棒を備えた固定ユニットが設けられたことを特徴とする請求項２〜請求項５のいずれか一項に記載の音響反射ユニット。
【請求項７】
前記音響反射板の上端部付近に矩形の切り欠き部が形成されており、前記固定ユニットは前記切り欠き部に収納可能に取り付けられていることを特徴とする請求項６に記載の音響反射ユニット。
【請求項８】
前記固定ユニットは前記音響反射板の側面に取り付けられ、複数の前記固定ユニットに形成された挿通孔に１つの前記天井圧接棒が挿通されることにより、前記複数の前記音響反射板が連結されていることを特徴とする請求項６に記載の音響反射ユニット。
【請求項９】
前記音響反射板は複数の補強桟が等間隔とならないように架設された枠を備え、前記枠の両面に前記第１の反射部材及び第２の反射部材が貼り合わされたことを特徴とする請求項１に記載の音響反射ユニット。
【請求項１０】
前記音響反射板の前記枠及び前記補強桟によって分割された空間に繊維質又は多孔質の吸音材が挿入されていることを特徴とする請求項９に記載の音響反射ユニット。
【発明の詳細な説明】
【技術分野】
【０００１】
本発明は、音響反射ユニットに関する。
【背景技術】
【０００２】
従来から、音響効果を高める目的で室内や舞台上に設置する音響反射ユニットとして、種々の形状及び機構を有する音響反射ユニットが提案されている。
【０００３】
例えば、多目的ホールの舞台上で使用される比較的大型な音響反射ユニットとして、複数の音響反射板がフレームに保持された状態で舞台の正面、側面、天井に設置され、それぞれの音響反射板を舞台の上下方向又は左右方向に折り畳むことができる音響反射ユニットが提案されている（特許文献１）。また、上記と同様に音楽会などのステージ上に設置され、ワイヤ及び巻上機により側面の音響反射板の格納と展開とが可能とされた音響反射ユニットが提案されている（特許文献２）。
【０００４】
一方、比較的小型な音響反射ユニットとして、一般家庭の室内でテレビジョン受像の視聴者の後方に設置するための脚部を備えた音響反射板が提案されている（特許文献３）。また、少人数の演奏会などで劇場の舞台に設置され、固定反射板の背面に下端側が連繋されて昇降可能とされた可動反射板と、音響反射板を移動可能とするキャスターとを備えた音響反射ユニットが提案されている（特許文献４、特許文献５）。
【特許文献１】特開平１１−１３７８６６号公報
【特許文献２】特開２００２−３０６８６１号公報
【特許文献３】特開平０６−１７８３７９号公報
【特許文献４】特開２００３−１４４７７７号公報
【特許文献５】特開２００３−１４４７７８号公報
【発明の開示】
【発明が解決しようとする課題】
【０００５】
しかしながら、上記の比較的大型な音響反射ユニットは、機構が複雑で高価であり、また、折り畳んだ状態でも大きく重量があって運搬・収納に不便なため、視聴覚室や一般家庭のＡＶルームなどの使用には適さないという問題があった。
【０００６】
また、上記の比較的小型な音響反射板は、軽量で持ち運びやキャスターによる移動が可能であるが、設置場所に固定しないため、音響反射板の下端部に設けた脚部やキャスターだけでは設置状態が不安定であり、地震や衝突に弱いという問題があった。一方、設置状態の安定のために高さ寸法を小さくすると、十分な音響効果を得ることができなかった。また、移動のためのキャスターや蝶番を備えた音響反射板においては、僅かなガタによりビリツキなどの異音を発しやすかった。更に、蝶番には音響反射板の反りにより負担がかかるため、破損しやすいという問題もあった。
【０００７】
また、従来の音響反射ユニットでは、比較的大型又は比較的小型な音響反射ユニットのいずれにおいても、音響反射板の増減又は設置角度の変更は可能であるが、その他の音響条件の調整は不可能であり、視聴覚室や一般家庭における映画再生・音楽再生・楽器演奏・会話などの様々な音源に対して適切な音響条件とすることができなかった。
【０００８】
本発明は、前記事情に鑑みてなされたものであり、その目的とするところは、視聴覚室や一般家庭における映画再生・音楽再生・楽器演奏・会話などの様々な音源に対して適切な音響条件とすることができる音響反射ユニットを提供することにある。
【課題を解決するための手段】
【０００９】
前記課題を解決するために、請求項１に記載の発明は、音響反射ユニットであって、音響反射特性の異なる第１の反射部材及び第２の反射部材を両面に設けた音響反射板を備えることを特徴とする。
【００１０】
請求項２に記載の発明は、請求項１に記載の音響反射ユニットであって、前記第１の反射部材は可撓性面材から成ると共に前記第２の反射部材は板状部材から成り、１つの前記第１の反射部材に複数の前記第２の反射部材が接着されることによって、複数の前記音響反射板が連結されていることを特徴とする。
【００１１】
請求項３に記載の発明は、請求項２に記載の音響反射ユニットであって、前記第１の反射部材は繊維質面材又は多孔質面材から成り、前記第２の反射部材は木材から成ることを特徴とする。
【００１２】
請求項４に記載の発明は、請求項２又は請求項３に記載の音響反射ユニットであって、連結された前記音響反射板が互いの角部が干渉することなく２７０°まで展開できるように前記角部が面取り加工されていることを特徴とする。
【００１３】
請求項５に記載の発明は、請求項２〜請求項４のいずれか一項に記載の音響反射ユニットであって、前記可撓性面材の端部に補強部材が前記可撓性面材から前記板状部材まで貫通する固定手段によって固定されていることを特徴とする。
【００１４】
請求項６に記載の発明は、請求項２〜請求項５のいずれか一項に記載の音響反射ユニットであって、前記音響反射板に取り付けられ、先端を天井に圧接させることにより前記音響反射板を支持する天井圧接棒を備えた固定ユニットが設けられたことを特徴とする。
【００１５】
請求項７に記載の発明は、請求項６に記載の音響反射ユニットであって、前記音響反射板の上端部付近に矩形の切り欠き部が形成されており、前記固定ユニットは前記切り欠き部に収納可能に取り付けられていることを特徴とする。
【００１６】
請求項８に記載の発明は、請求項６に記載の音響反射ユニットであって、前記固定ユニットは前記音響反射板の側面に取り付けられ、複数の前記固定ユニットに形成された挿通孔に１つの前記天井圧接棒が挿通されることにより、前記複数の前記音響反射板が連結されていることを特徴とする。
【００１７】
請求項９に記載の発明は、請求項１に記載の音響反射ユニットであって、前記音響反射板は複数の補強桟が等間隔とならないように架設された枠を備え、前記枠の両面に前記第１の反射部材及び第２の反射部材が貼り合わされたことを特徴とする。
【００１８】
請求項１０に記載の発明は、請求項９に記載の音響反射ユニットであって、前記音響反射板の前記枠及び前記補強桟によって分割された空間に繊維質又は多孔質の吸音材が挿入されていることを特徴とする。
【発明の効果】
【００１９】
本発明によれば、視聴覚室や一般家庭における映画再生・音楽再生・楽器演奏・会話などの様々な音源に対して適切な音響条件とすることができる音響反射板を提供することができる。
【発明を実施するための最良の形態】
【００２０】
（第１の実施形態）
まず、本発明の第１の実施形態について、図１〜図１０を参照して説明する。
【００２１】
図１に示すように、本実施形態に係る音響反射ユニット１は、１枚の反射部材３に２つの反射部材２が接着されることによって、２つの音響反射板４が連結された構造となっている。
【００２２】
ここで、図２に示すように、音響反射板４を構成する反射部材２は厚さ３０ｍｍ程度の木材などの板材によって形成されている。一方、反射部材３は厚さ８ｍｍ程度のカーペットなどの繊維質面材又は多孔質面材によって形成されている。すなわち、反射部材２は比較的反射率が高く、反射部材３は比較的反射率が低い材料によって形成されている。このように、本実施形態に係る音響反射板４は、性質の異なる２つの反射部材２，３を貼り合せることによって構成されている。
【００２３】
また、図３は音響反射板４の他の構成例である。図３において、音響反射板４は木材などの板材によって構成されており、反射部材２は厚さ寸法４０ｍｍ程度の表面が平滑な板状とされている。一方、反射部材３は一辺の長さ寸法５０ｍｍ程度、高さ寸法１０ｍｍ程度の四角すいを配列した形状とされている。すなわち、反射部材２は比較的音響拡散性が低く、反射部材３は比較的音響拡散性が高い構造とされており、音響反射板４は性質の異なる２つの反射部材２，３を貼り合せることによって構成されている。なお、この場合は１枚の音響反射板４のみをもって音響反射ユニット１としてもよく、複数の音響反射板４を蝶番などによって連結するか、部分的に可撓性面材を貼り付けて連結してもよい。
【００２４】
次に、図１に示すように、反射部材３の表面であって２つの反射部材２の近接する側部に対応する位置には板状の補強部材５が上下方向に延在しており、ビス６によって固定されている。また、反射部材３の表面であって反射部材２の他の側部に対応する位置には、断面形状Ｌ字状の補強部材７が上下方向に延在しており、反射部材３の端部を覆った状態でビス６によって固定されている。なお、補強部材７の形状は補強部材５の形状と同様に板状としてもよい。
【００２５】
また、２つの反射部材２の間隔は１７ｍｍ程度とされている。これにより、図４に示すように、反射部材３によって２つの反射部材２を連結した状態で音響反射ユニット１を折り畳むことができるようになっている。
【００２６】
また、図１に示すように、隣り合う反射部材２の対向する側面角部は２つの面が２０ｍｍ程度ずつ切り取られるように面取り加工されている。これにより、図５に示すように、隣り合う反射部材２の角部が互いに干渉することなく、音響反射ユニット１を２７０°まで開くことができるようになっている。
【００２７】
図５のように、音響反射ユニット１を２７０°開いた状態では、反射部材２が内側に位置する。また、図６のように、音響反射ユニット１を９０°開いた状態では、反射部材３が内側に位置し、図５の音響反射ユニット１の反射部材２と反射部材３とを入れ替えたのと同様の構成になる。
【００２８】
このように、音響反射ユニット１の音響反射板４は、反射部材２，３を両面に備え、２つの反射部材２が成す角度を任意に調整することができる。これにより、図７〜図１０に示すように４通りの態様で設置することができるようになっている。すなわち、図７は音響反射ユニット１を２７０°開いた状態であり、図８は９０°開いた状態である。また、図９は図７に示す音響反射ユニット１の反射部材２，３の位置を逆にした状態であり、図１０も同様に図８に示す音響反射ユニット１の反射部材２，３の位置を逆にした状態を示すものである。このように、本実施形態に係る音響反射ユニット１は、反射部材２，３のいずれを面にした場合でも、９０°又は２７０°開いた状態で安定して設置することができるようになっている。
【００２９】
次に、本実施形態の作用について説明する。
【００３０】
本実施形態の音響反射板４は、音響反射特性の異なる反射部材２，３を両面に備えているため、音響反射ユニット１を裏表反転させて設置するのみで、音響反射ユニット１の音響反射特性を変化させることができる。
【００３１】
また、反射部材２，３にそれぞれ音響反射率の高い部材と音響反射率の低い部材を用いることによって、残響時間や音量を変化させることができる。また、反射部材２，３にそれぞれ低音反射率の高い部材と高音反射率の高い部材を用いれば、残響周波数を変化させることもできる。更に、反射部材２，３にそれぞれ音響拡散性の高い形状の部材と音響拡散性の低い形状の部材を用いれば、反射音の分布を変化させることもできる。
【００３２】
例えば、室内でサラウンドスピーカを使用して映画の視聴を行う場合は、視聴者の横又は後方に設置されたスピーカの再生音を生かすため、後方に設置した音響反射ユニット１における前方に設置されたスピーカの再生音の反射を抑えるように、音響反射板４の反射部材２又は反射部材３として音響反射率の低い部材を用いることができる。また、楽器の生演奏を行う場合は、残響を残した音響を得るために、音響反射率の高い部材を用いることができる。また、比較的狭い部屋で視聴者と音響反射板４との距離が近い場合は、特定の反射音のみが視聴者に届くことがないように、音響拡散性の高い形状の部材を用いることも可能である。
【００３３】
更に、音響反射板４を多数使用することによって上記の作用を増大させることができるのみならず、音響反射特性の異なる反射部材を備えた多種類の音響反射板４を用いることによって、残響時間・残響周波数・反射音の分布を同時に調整することもできる。
【００３４】
また、本実施形態に係る音響反射ユニット１は、２つの音響反射板４が重なるように折り畳むことにより、容易に運搬・格納することができる。また、隣り合う音響反射板４の成す角度が９０°となるように展開することによって、音響反射ユニット１を安定した状態で設置することができる。また、音響反射ユニット１を裏表反転させる際は、隣り合う音響反射板４の成す角度を９０°から２７０°に展開して設置することによって、反射部材２及び反射部材３を入れ替えたのと全く同様の音響効果を得ることができる。
【００３５】
また、反射部材２の表面に１枚の反射部材３を接着して複数の音響反射板４を連結する構造とすれば、蝶番によって連結する場合と比較して応力の集中がなく、耐久性に優れている。また、反射部材３として繊維質面材又は多孔質面材などの可撓性面材を使用することにより、音響反射板４が数ｍｍ反った場合でも音響反射板４の連結状態が破損することはなく、また、木質材や剛材と比較して振動の内部損失が大きいことから、音響や振動による不要共振音を低減することができる。また、蝶番のように展開時の旋廻のための隙間を必要としないことから、隣り合う音響反射板４の隙間による異音の発生もない。
【００３６】
また、１枚の反射部材３で複数の反射部材２を連結するため、反射部材３は一体であることから部品が少なく、製造工程が容易で安価に製造することが可能となる。また、音響反射板４の連結部分において反射部材３の継ぎ目がないため美観に優れ、反射部材３を反射部材２の全面に貼り付けることから連結部分の強度が確保される。更に、隣り合う音響反射板４の隙間に渡される反射部材３の幅を必要最小限の大きさとすることにより、音響反射ユニット１を９０°展開した際の可撓性面材の撓みによる連結部分のぐらつきが抑えられる。また、隣り合う音響反射板４の対向する側面を面取り加工することから、２７０°展開した際に面取り加工した部分が相互に密着し、音響反射ユニット１の設置状態の安定性が保たれる。
【００３７】
更に、反射部材３の端部を挟んだ状態で補強部材５を反射部材２に固定することによって、音響反射ユニット１を折り畳む際に剥離しやすい反射部材３の端部の接着強度が補強され、音響反射板４の連結部分の耐久性が増す。
【００３８】
以上のように本実施形態によれば、音響反射ユニット１を裏表反転させて設置するのみで、容易に音響反射特性を変化させることができる。また、反射部材２，３として用いる部材の音響反射特性をそれぞれ選択することによって、多様な音響効果を得ることが可能となる。更に、音響反射板４を多数使用することによって上記の作用を増大させることができるのみならず、音響反射特性の異なる反射部材を備えた多種類の音響反射板４を用いることによって、残響時間・残響周波数・反射音の分布を同時に調整することも可能である。
【００３９】
また、本実施形態では、反射部材３は一体で部品が少ないため、製造工程が容易で、安価に製造できる。また、反射部材３は反射部材２の全面に貼り付けることから、連結部分の強度が確保され、音響反射板４の連結部分において反射部材３の継ぎ目がなく美観に優れた音響反射ユニット１を得ることができる。更に、補強部材５によって反射部材３の端部の接着強度が補強されることから、音響反射板４の連結部分の耐久性が増すと共に、美観に優れた音響反射ユニット１を得ることができる。
【００４０】
（第２の実施形態）
次に、本発明の第２の実施形態について図１１〜図１６を参照して説明する。なお、第１の実施形態と同一部分には同一符号を付してその説明を省略し、第１の実施形態と異なる構成部分について説明する。
【００４１】
図１１に示すように、本実施形態の音響反射ユニット１においては、反射部材３の表面であって２つの反射部材２の両側部に対応する位置に、板状の補強部材５が固定されている。
【００４２】
また、反射部材２の上端部中央付近には矩形の切り欠き部８が形成されており、切り欠き部８には固定ユニット９が取り付けられている。
【００４３】
反射部材２に形成された切り欠き部８には、図１２に示すように固定ユニット９が備える断面形状コ字状の保持金具１２が固定されている。この保持金具１２は厚さ寸法４ｍｍ程度のアルミニウム板によって形成されており、上面及び底面に径１０．１ｍｍ程度の圧接棒挿通孔１３が形成されている。また、図１３に示すように、側面にはねじ挿通孔１４が形成されており、ねじ挿通孔１４を貫通するねじ（図示略）を反射部材２の切り欠き部８に形成されたねじ穴（図示略）に螺合することによって切り欠き部８に固定されている。また、図１３に示すように、保持金具１２の側面上部付近の両端部には、２つの係止孔１５が形成されている。
【００４４】
更に、図１２及び図１３に示すように、保持金具１２の内側には、厚さ寸法２ｍｍ程度のステンレス鋼によって形成され、中心部付近に径１０．３ｍｍ程度の圧接棒挿通孔１７が形成されたストッパー１６が設けられている。図１３に示すように、ストッパー１６の一辺の両端部には係止片１８が形成されており、２つの係止片１８は保持金具１２の側面に形成された係止孔１５にそれぞれ係止されることにより、ストッパー１６が保持金具１２の上面又は底面に対して±３０°程度傾斜可能となるように固定されている。
【００４５】
図１２及び図１３に示すように、保持金具１２の圧接棒挿通孔１３及びストッパー１６の圧接棒挿通孔１７には、ゴムなどの弾性体により形成されたカバー１０によって先端が覆われた天井圧接棒１１が挿通されている。この天井圧接棒１１は、ステンレス鋼により形成された径１０ｍｍ程度の棒又はパイプによって構成されている。
【００４６】
ここで、天井圧接棒１１の径は１０ｍｍ程度であるのに対し、保持金具１２に形成された２つの圧接棒挿通孔１３の径はいずれも１０．１ｍｍ程度とされている。これにより、固定ユニット９を反射部材２に固定した状態で、天井圧接棒１１を上下方向に摺動することができるようになっている。
【００４７】
また、ストッパー１６に形成された圧接棒挿通孔１７の径は１０．３ｍｍ程度であり、保持金具１２の圧接棒挿通孔１３の径よりやや大きく形成されている。これにより、天井圧接棒１１がストッパー１６の圧接棒挿通孔１７に挿通された状態で、圧接棒挿通孔１７の側面を天井圧接棒１１の上下方向に対して±１５°程度傾けることができるようになっている。
【００４８】
更に、図１２及び図１３に示すように、保持金具１２の上面とストッパー１６との間には、内径１０．５ｍｍ程度のばね部材１９が天井圧接棒１１に巻き付いた状態で取り付けられており、ばね部材１９はストッパー１６を常に下方に付勢する状態となっている。したがって、ストッパー１６は圧接棒挿通孔１７の側面が１５°程度傾いた状態で下方に付勢されることから、圧接棒挿通孔１７の側面が天井圧接棒１１を圧接する状態となる。このような構造により、天井圧接棒１１はストッパー１６によって所定の位置で固定されるようになっている。
【００４９】
なお、本実施形態に係るばね部材１９の付勢力は、ばねを手指で伸縮することが出来る程度とされている。
【００５０】
次に、本実施形態の作用について説明する。
【００５１】
本実施形態に係る音響反射ユニット１を運搬又は格納する際には、図１１の右側の音響反射板４に示すように、固定ユニット９を反射部材２の切り欠き部８に収納しておく。これにより、固定ユニット９の破損を防止することができる。
【００５２】
また、音響反射ユニット１の使用時には、所望の設置場所において、隣り合う音響反射板４を９０°展開した状態で設置する。そして、固定ユニット９の天井圧接棒１１を下方から上方に摺動させる。この際、天井圧接棒１１を上方に移動させると、ストッパー１６が僅かに持ち上がるため、ストッパー１６の圧接棒挿通孔１７の側面と天井圧接棒１１の抉りが解消されて、天井圧接棒１１は容易に上方に持ち上がる。そして、カバー１０の上面を設置場所の天井に押し付けた状態で天井圧接棒１１を離すと、ストッパー１６の位置が元に戻り、再び圧接棒挿通孔１７の側面が天井圧接棒１１を圧接する状態となって、天井圧接棒１１はその位置で固定される。このように、音響反射ユニット１は固定ユニット９によって設置場所の上方の天井に固定される。これにより、音響反射ユニット１が倒れることはなく、安定した状態で設置することができる。
【００５３】
そして、再び音響反射ユニット１を運搬又は格納する際は、固定ユニット９のストッパー１６を持ち上げる。これにより、ストッパー１６の圧接棒挿通孔１７の側面と天井圧接棒１１の抉りが解消されて、天井圧接棒１１を容易に引き下げることができる。そして、固定ユニット９を反射部材２の切り欠き部８に収納した状態で運搬又は格納することにより、固定ユニット９の破損を防止することができる。
【００５４】
なお、図１４に示すように、固定ユニット９は、反射部材２に切り欠き部８を形成せずに音響反射板４の側面上部付近に取り付ける構造としてもよい。
【００５５】
また、図１５に示すように、固定ユニット９は複数の音響反射ユニット１を連結する機能を兼ねることもできる。
【００５６】
この場合は、図１５に示すように、２つの保持金具１２の側面を２つの音響反射ユニット１の隣り合う側面にそれぞれねじ止めして固定する。そして、図１６に示すように、２つの保持金具１２の圧接棒挿通孔１３が上面及び底面においてそれぞれ重なるように組み合わせた上で、この圧接棒挿通孔１３に天井圧接棒１１を挿通することにより、２つの音響反射ユニット１を連結することができる。また、このような構造によれば、複数の音響反射ユニットを密着させた状態で収納することが可能となる。
【００５７】
以上のように本実施形態によれば、移動や設置場所の変更が容易で地震や衝突による転倒を防止することができ、安全性・操作性に優れた音響反射ユニット１を得ることができる。また、収納スペースが小さく、運搬時や重ねて収納しても損傷の恐れが少なく、美観にも優れた音響反射ユニット１を得ることができる。また、１つの固定ユニット９が複数の音響反射ユニット１を連結する機能を兼ねることにより、操作性及び美観に優れ、安価な音響反射ユニット１を得ることができる。
【００５８】
（第３の実施形態）
次に、本発明の第３の実施形態について図１７及び図１８を参照して説明する。なお、第１の実施形態と同一部分には同一符号を付してその説明を省略し、第１の実施形態と異なる構成部分について説明する。
【００５９】
図１７に示すように、本実施形態に係る音響反射板４は枠２０を備えており、枠２０には２本の補強桟２１が等間隔とならないように架設されている。この枠２０及び補強桟２１は、環境条件による変形の少ない木質集成材などによって構成されている。また、枠２０及び補強桟２１の両面には、音響反射特性の異なる反射部材２及び反射部材３がそれぞれ接着されている。このように、本実施形態では、反射部材２及び反射部材３が補強桟２１によってそれぞれ３つの異なる面積に分割された構造となっている。
【００６０】
また、図１８は本実施形態に係る音響反射板４の他の構成例である。図１８に示す音響反射板４では、枠２０の上下方向に斜めに補強桟２２が架設されており、また、その補強桟２２と横方向に交差する５本の補強桟２３が等間隔とならないように架設されている。このように、枠２０の中は面積の異なる１２個の空間に分割されている。そして、その分割された１２個の空間には、各空間の形状に合わせて加工された繊維状又は多孔質の吸音材２４が挿入されている。その上で、図１７の場合と同様に、枠２０及び補強桟２１の両面に音響反射特性の異なる反射部材２及び反射部材３（図示略）がそれぞれ接着されている。
【００６１】
次に、本実施形態の作用について説明する。
【００６２】
図１７又は図１８の音響反射ユニット１において、補強桟２１又は補強桟２２，２３により分割された空間の面積における反射部材２，３の共振周波数は、単純化すれば、下記の共振周波数の一般式（１）によって表すことができる。
【００６３】
【数１】
2006276670.tif 000003
【００６４】
そして、補強桟２１又は補強桟２２，２３により分割された面積における反射部材２，３の共振周波数は、例えば、分割された面積が大きいほど上記式（１）の支持スティフネスＳが小さくなり、逆に振動系の等価質量Ｍが大きくなることから、共振周波数ｆoは小さくなる。
【００６５】
したがって、図１７又は図１８に示すように、反射部材２，３を複数の異なる面積に分割することにより、共振周波数ｆoの値を分散することができる。このように、一つの音響反射ユニット１において共振周波数ｆoの値を分散することにより、共振を低減することが可能となる。
【００６６】
以上のように本実施形態によれば、共振周波数ｆoの値を分散することにより、共振によるエネルギー損失で特定の周波数の音が吸音されるのを抑え、音響反射の周波数特性が比較的平坦で、軽量かつ安価な音響反射ユニット１を得ることができる。
【００６７】
（第４の実施形態）
次に、本発明の第４の実施形態について図１９〜図２２を参照して説明する。なお、第１の実施形態と同一部分には同一符号を付してその説明を省略し、第１の実施形態と異なる構成部分について説明する。
【００６８】
図１９に示すように、本実施形態に係る音響反射ユニット１が備える一方の音響反射板４の中央付近には開口部２５が形成されており、開口部２５の周辺には樹脂成形されたフレーム２６が設けられている。また、開口部２５の内部にはスピーカ装置２７が備えられている。
【００６９】
図２０に示すように、音響反射板４の開口部２５に設けられたフレーム２６の上下内側面には回転軸２８が固定されている。一方、スピーカ装置２７は樹脂成形された筐体２９を備えており、筐体２９は、上下の側面に形成された挿通孔（図示略）に回転軸２８が挿通されることにより、音響反射板４と水平となる位置において半固定されると共に、回転軸２８を軸として手で１８０°回転できるように、弾性体リング３０を介してフレーム２６に取り付けられている。
【００７０】
筐体２９の内部には振動板３１や磁気回路３２などからなるスピーカユニット３３が備えられており、振動板３１には電圧を印加する端子３４が接続されている。また、図２１に示すように、筐体２９のうちスピーカユニット３３が露出する側の開口部には円形状の開口部が形成された木材質のバッフル３５が設けられており、バッフル３５の開口部を覆うようにカバー３６が取り付けられている。
【００７１】
なお、図２２に示すように、音響反射ユニット１が備える他方の音響反射板４に開口部２５を形成してスピーカ装置２７を取り付ける構造とすることもできる。
【００７２】
次に、本実施形態の作用について説明する。
【００７３】
本実施形態に係る音響反射ユニット１は、第１の実施形態と同様に効果的に音響を反射させる機能を果たすと共に、スピーカ装置２７を備えることから、サラウンドスピーカとしての機能を果たすこともできる。
【００７４】
また、スピーカ装置２７は音響反射板４の開口部２５において手で１８０°回転可能できることから、音響反射板４のうち反射部材２又は反射部材３どちらの面を室内側に向けて設置しても、必要に応じてスピーカ装置２７を１８０°回転させることにより、スピーカ装置２７を室内側に向けて使用することができる。
【００７５】
なお、本実施形態の図１９のように、音響反射板４のうち反射部材２が室内側に向いていたのを、図２２のように反射部材３が室内側に向くように設置してスピーカ装置２７を１８０°回転させると、スピーカ装置２７を備えた音響反射板４の位置が左右逆になる。この場合、一般的に音響反射ユニット１は室内に左右対称の一組を設置することによって使用されることから、左右の音響反射ユニット１を入れ替えて設置すればスピーカ装置２７の位置が左右逆になることなく使用することができる。
【００７６】
以上のように本実施形態によれば、音響反射ユニット１が音響反射板４と共にスピーカ装置２７を備えることから、比較的狭いスペースに音響反射板４と共にサラウンドスピーカを設置したい場合に、設置場所のスペースの有効利用を図ることができる。また、スピーカ装置２７を１８０°回転できることから、音響反射板４のいずれの面を使用したい場合でも容易にスピーカ装置２７を利用することができる。
【００７７】
（第５の実施形態）
次に、本発明の第５の実施形態について図２３〜図２５を参照して説明する。なお、第１の実施形態と同一部分には同一符号を付してその説明を省略し、第１の実施形態と異なる構成部分について説明する。
【００７８】
図２３に示すように、本実施形態に係る音響反射ユニット１は、それぞれの音響反射板４の上端部及び下部付近に照明装置３７，３８を備えている。
【００７９】
図２４に示すように、照明装置３７は、音響反射板４の上端部に設置された電球３９及びソケット４０を、透明樹脂などによって成形された断面形状コ字状のカバー４１が覆うことによって構成されている。カバー４１は、その端部が音響反射板４の上端部に形成された係合部４２に係合されることによって取り付けられている。また、カバー４１の一側面には電球３９のスイッチ４３が設けられている。
【００８０】
また、照明装置３８は、音響反射板４の下部付近に形成された開口部４４の内側の上面に設置された電球４５及びソケット４６を、透明樹脂などによって成形された板状のカバー４７が音響反射板４の両面から覆うことによって構成されている。カバー４７は、その端部が音響反射板４の開口部４４に形成された係合部４８に係合されることによって取り付けられている。また、カバー４７の一側面には電球４５のスイッチ４９が設けられている。
【００８１】
更に、照明装置３７の配線５０は反射部材２及び反射部材３の間から開口部４４に通され、照明装置３８の配線５１と共に音響反射板４に形成された配線用孔５２に通されて、音響反射板４の外部においてプラグ５３に接続されている。
【００８２】
なお、照明装置３７としては電球４５及びソケット４６以外の公知の照明装置を使用することも可能である。
【００８３】
次に、本実施形態の作用について説明する。
【００８４】
本実施形態に係る音響反射ユニット１は、第１の実施形態と同様に効果的に音響を反射させる機能を果たすと共に、音響反射板４の上端部及び下部付近に照明装置３７，３８を備えることから、必要に応じて照明装置３７，３８のスイッチ４３，４９をＯＮとすることにより、室内を照明する機能を兼ねることができる。また、図２５に示すように、音響反射ユニットを裏表逆にした場合も同様の作用が得られる。
【００８５】
以上のように本実施形態によれば、音響反射ユニット１を設置するのみで、設置工事や取り付けスペースを別途要することなく間接照明を得ることが可能となる。この間接照明は、音響反射ユニット１の設置によって既存の照明装置による照明が遮られた場合の補助照明として、また、プロジェクター装置による視聴などのため室内の照明を消した際の安全照明として特に有効に利用することができる。
【００８６】
（第６の実施形態）
次に、本発明の第６の実施形態について図２６〜図２９を参照して説明する。なお、第１の実施形態と同一部分には同一符号を付してその説明を省略し、第１の実施形態と異なる構成部分について説明する。
【００８７】
図２６に示すように、本実施形態に係る音響反射ユニット１は、それぞれの音響反射板４の下端中央部付近に、音響反射ユニット１の移動を可能とするキャスターユニット５４を備えている。
【００８８】
図２７に示すように、音響反射板４の下端部には開口部５５が形成されており、更に開口部５５の内側の上面中央部にはストッパー収納孔５６が形成されている。また、ストッパー収納孔５６の側面には先端にストッパー５７が形成された軸５８を上下方向に摺動可能かつ水平方向に９０°回転可能に支持する摺動回転軸受け５９が固定されると共に、下端部に凹状切欠きが形成された係止板６０が固定されている。また、軸５８の長さ寸法はストッパー収納孔５６に収納可能な大きさとされている。
【００８９】
また、軸５８のうちストッパー５７が形成されていない方の端部付近にはキャスター支持板６１が取り付けられており、キャスター支持板６１の両端下部には自在キャスター６２が取り付けられている。また、キャスター支持板６１の長さ寸法は、キャスター支持板６１を音響反射板４と水平にした状態で開口部５５に収納可能な大きさとされている。更に、キャスター支持板６１の幅寸法は凹状切欠きに嵌合可能な大きさとされている。
【００９０】
次に、本実施形態の作用について説明する。
【００９１】
本実施形態に係る音響反射ユニット１は、音響反射ユニット１の設置場所又は収納場所においては、図２８に示すようにキャスターユニット５４及び自在キャスター６２を開口部５５及びストッパー収納孔５６に収納することができる。
【００９２】
また、音響反射ユニット１の運搬時においては、音響反射板４を持ち上げることによって、軸５８が摺動回転軸受け５９の内部で下方に摺動され、ストッパー５７が摺動回転軸受け５９の上面に支持されるまで移動することにより、キャスター支持板６１が開口部５５の外部に引き出される。そして、図２９に示すように、キャスター支持板６１が引き出された状態で９０°回転させて、キャスター支持板６１を係止板６０の凹状切欠きに嵌合させた状態で音響反射板４を下に降ろすことにより、キャスター支持板６１は音響反射板４に対して９０°回転した状態で固定される。これにより、キャスター支持板６１が回転することなく、自在キャスター６２を利用して音響反射ユニット１を容易に運搬することが可能となる。
【００９３】
更に、音響反射ユニット１を設置又は格納する際は、再び音響反射板４を持ち上げてキャスター支持板６１を係止板６０の凹状切欠きから外し、キャスター支持板６１を９０°回転させた状態で音響反射板４を降ろすことにより、キャスター支持板６１及び自在キャスター６２を開口部５５に収納することができる。
【００９４】
以上のように本実施形態によれば、キャスターユニット５４によって音響反射ユニット１を安全かつ容易に運搬することが可能であり、設置場所ではキャスター支持板６１及び自在キャスター６２を収納することにより安定した状態で設置することができると共に、収納場所においても同様に支持板６１及び自在キャスター６２を収納することにより、収納スペースをとることなく音響反射ユニット１を収納することが可能となる。
【００９５】
（第７の実施形態）
次に、本発明の第７の実施形態について図３０〜図３２を参照して説明する。なお、第１の実施形態と同一部分には同一符号を付してその説明を省略し、第１の実施形態と異なる構成部分について説明する。
【００９６】
図３０に示すように、本実施形態に係る音響反射ユニット１は、反射部材２，３と異なる音響反射特性を有する着脱式表面材６３を備えている。また、音響反射板４の片面又は両面の四隅には係止受部品６４が取り付けられており、着脱式表面材６３の四隅には係止用部品６５が取り付けられている。
【００９７】
本実施形態の係止受部品６４及び係止用部品６５としては、係止部品として公知のものを使用することが可能であり、例えば、図３１に示すように、略立方体で一側面に略球状の凹部６６が形成されると共に凹部６６の側面に係合用切欠き６７が形成され、凹部６６と反対側の側面に固定用のビス６８が取り付けられた係止受部品６４と、基板上に略球状の凸部６９が形成され、凸部６９と反対側の基板上に固定用のビス６８が取り付けられた係止用部品６５を使用することができる。また、図３２に示すように、マジックテープ（登録商標）を係止受部品６４及び係止用部品６５として使用することも可能である。
【００９８】
次に、本実施形態の作用について説明する。
【００９９】
本実施形態に係る音響反射ユニット１は、音響反射板４の片面又は両面の四隅に係止受部品６４を備えると共に、着脱式表面材６３の四隅に係止用部品６５を備えることによって、音響反射板４に対して着脱式表面材６３が着脱自在となっている。これにより、着脱式表面材６３を取り付けるのみで、音響反射ユニット１を交換することなく、反射部材２，３と異なる音響効果を得ることができる。
【０１００】
なお、着脱式表面材６３は音響反射板４の片面に取り付けることも可能であり、両面に取り付けることも可能である。また、本実施形態では音響反射板４の全面に着脱式表面材６３を取り付ける構造としたが、音響反射板４の一部に着脱式表面材６３を取り付ける構造としてもよい。
【０１０１】
以上のように本実施形態によれば、音響反射板４の片面又は両面に着脱式表面材６３を取り付けるのみで、３種類以上の多様な音響反射特性を有する音響反射ユニット１とすることができる。これにより、室内音場の様々な調整を容易に行うことが可能となる。
【０１０２】
以上詳細に説明したように本発明の音響反射ユニットによれば、視聴覚室や一般家庭における映画再生・音楽再生・楽器演奏・会話などの様々な音源に対して適切な音響条件とすることができる音響反射板を提供することができる。
【図面の簡単な説明】
【０１０３】
【図１】第１の実施形態に係る音響反射ユニットを１８０°開いた状態を示す上面図である。
【図２】第１の実施形態に係る音響反射板の部分斜視図である。
【図３】第１の実施形態に係る音響反射板の他の構成を示す部分斜視図である。
【図４】第１の実施形態に係る音響反射ユニットを閉じた状態を示す上面図である。
【図５】第１の実施形態に係る音響反射ユニットを２７０°開いた状態を示す上面図である。
【図６】第１の実施形態に係る音響反射ユニットを９０°開いた状態を示す上面図である。
【図７】第１の実施形態に係る音響反射ユニットの設置例を示す斜視図である。
【図８】第１の実施形態に係る音響反射ユニットの他の設置例を示す斜視図である。
【図９】第１の実施形態に係る他の音響反射ユニットの設置例を示す斜視図である。
【図１０】第１の実施形態に係る他の音響反射ユニットの他の設置例を示す斜視図である。
【図１１】第２の実施形態に係る音響反射ユニットの構成を示す斜視図である。
【図１２】第２の実施形態に係る固定ユニットの構成を示す側面図である。
【図１３】第２の実施形態に係る固定ユニットの構成を示す正面図である。
【図１４】第２の実施形態に係る音響反射ユニットの他の構成を示す斜視図である。
【図１５】第２の実施形態に係る音響反射ユニットの他の構成を示す斜視図である。
【図１６】第２の実施形態に係る固定ユニットの他の構成を示す側面図である。
【図１７】第３の実施形態に係る音響反射ユニットの構成を示す分解斜視図である。
【図１８】第３の実施形態に係る音響反射ユニットの他の構成を示す正面図である。
【図１９】第４の実施形態に係る音響反射ユニットの構成を示す斜視図である。
【図２０】第４の実施形態に係る音響反射板の構成を示す側面断面図である。
【図２１】第４の実施形態に係る音響反射ユニットが備えるスピーカ装置の構造を示す正面図である。
【図２２】第４の実施形態に係る音響反射ユニットの他の構成を示す斜視図である。
【図２３】第５の実施形態に係る音響反射ユニットの構成を示す斜視図である。
【図２４】第５の実施形態に係る音響反射板の構成を示す側面断面図である。
【図２５】第５の実施形態に係る音響反射ユニットを裏返した状態を示す斜視図である。
【図２６】第６の実施形態に係る音響反射ユニットの構成を示す斜視図である。
【図２７】第６の実施形態に係る音響反射板が備えるキャスターのストッパーの構成を示す正面断面図である。
【図２８】第６の実施形態に係る音響反射板が備えるキャスターの格納時のストッパーを示す側面断面図である。
【図２９】第６の実施形態に係る音響反射板が備えるキャスターの使用時のストッパーを示す側面断面図である。
【図３０】第７の実施形態に係る音響反射ユニットの構成を示す斜視図である。
【図３１】第７の実施形態に係る音響反射ユニットが備える係止部品の構成を示す側面図である。
【図３２】第７の実施形態に係る音響反射ユニットが備える他の係止部品の構成を示す側面図である。
【符号の説明】
【０１０４】
１  音響反射ユニット
２，３ 反射部材
４  音響反射板
８  切り欠き部
９  固定ユニット
１０  カバー
１１  天井圧接棒
１２  保持金具
１３  圧接棒挿通孔
１４  ねじ挿通孔
１６  ストッパー
１７  圧接棒挿通孔
１８  係止片
１９  ばね部材
２０  枠
２１  補強桟
２２，２３  補強桟
２４  吸音材
２５  開口部
２６  フレーム
２７  スピーカ装置
２８  回転軸
２９  筐体
３３  スピーカユニット
３５  バッフル
３６  カバー
３７，３８  照明装置
３９  電球
４１  カバー
４３  スイッチ
４４  開口部
４５  電球
４７  カバー
４９  スイッチ
５４  キャスターユニット
５５  開口部
５６  ストッパー収納孔
５７  ストッパー
５８  軸
６０  係止板
６１  キャスター支持板
６２  自在キャスター
６３  着脱式表面材
６４  係止受部品
６５  係止用部品
【図１】
2006276670.tif 000004
【図２】
2006276670.tif 000005
【図３】
2006276670.tif 000006
【図４】
2006276670.tif 000007
【図５】
2006276670.tif 000008
【図６】
2006276670.tif 000009
【図７】
2006276670.tif 000010
【図８】
2006276670.tif 000011
【図９】
2006276670.tif 000012
【図１０】
2006276670.tif 000013
【図１１】
2006276670.tif 000014
【図１２】
2006276670.tif 000015
【図１３】
2006276670.tif 000016
【図１４】
2006276670.tif 000017
【図１５】
2006276670.tif 000018
【図１６】
2006276670.tif 000019
【図１７】
2006276670.tif 000020
【図１８】
2006276670.tif 000021
【図１９】
2006276670.tif 000022
【図２０】
2006276670.tif 000023
【図２１】
2006276670.tif 000024
【図２２】
2006276670.tif 000025
【図２３】
2006276670.tif 000026
【図２４】
2006276670.tif 000027
【図２５】
2006276670.tif 000028
【図２６】
2006276670.tif 000029
【図２７】
2006276670.tif 000030
【図２８】
2006276670.tif 000031
【図２９】
2006276670.tif 000032
【図３０】
2006276670.tif 000033
【図３１】
2006276670.tif 000034
【図３２】
2006276670.tif 000035